(57)【特許請求の範囲】
【請求項１】
表表紙と、裏表紙と、前記表表紙と裏表紙との中央に形成された背部とを備える表紙シートと、
表紙シートの内側に、少なくとも２枚固着された、仕切りシートとを含み、
前記仕切りシートは、内側縁を前記背部に固着され、
前記仕切りシートの表面は、表裏に設けられた外装シートで覆われ、
前記外装シートは、下側縁が仕切りシートの下側縁に固着され、
前記下側縁と直交する外側縁が、仕切りシートの外側縁を覆いつつ折り返され、
外装シートの下側縁および外側縁と仕切りシートの下側縁および外側縁との間が閉鎖され、外装シートの下側縁に対向する上側縁と外側縁に対向する内側縁とが開放されて、ポケットが形成され、
前記外装シートは、開放された前記上側縁および前記内側縁側をめくった際にポケットを大きく開口させるための斜行縁が、外装シートの前記上側縁の折り返し側端部と前記閉鎖された側縁の上端とを結んで、前記上側縁および前記閉鎖された側縁の両者に交差する向きに形成され、
前記下側縁から前記上側縁の折り返し側端部までの長さは、前記閉鎖された側縁の下端から上端までの長さよりも長く形成され、
外装シートの内側縁が、見開いたときに対向するように形成された、ホルダ。
【請求項２】
前記仕切りシートは、外装シート間に挟持されずに空隙ができるように、下側縁から上側縁までの長さを前記外装シートの下側縁から上側縁の外側端部までの長さよりも短く形成され、該部分において前記外装シートを前記仕切りシートの上側縁から上方へ突出させた、請求項１に記載のホルダ。
【請求項３】
前記外装シートは、開放された前記上側縁および前記側縁側をめくった際に開口させるための斜行縁から外側に露出する前記仕切りシートの下側縁から上側縁までの長さを、前記外装シートの下側縁から上側縁の折り返し側端部までの長さと略同じに形成された、請求項１又は２に記載のホルダ。
【請求項４】
前記仕切りシートの表面は、表裏に対称に設けられた外装シートで覆われた、請求項１ないし請求項３のいずれかに記載のホルダ。
【発明の詳細な説明】
【０００１】
【発明の属する技術分野】
本願発明はホルダに関し、特に、ポケットを有するホルダに関する。
【０００２】
【従来の技術】
本願発明の背景となる従来のホルダの一例は、たとえば実開昭５９−５３９７９号公報に開示されている。図７に示すように、このホルダ１は、仕切りシートとしての芯体平板２の表裏面に外装シートとしての透明シート３を装着し、該透明シート３の直交する下側縁Ｅ１と外側縁Ｅ２とを固着して、残りの直交する上側縁Ｅ３と内側縁Ｅ４とを開放し、透明シート３の上側縁Ｅ３および内側縁Ｅ４側をめくることにより開口し得るポケット４を具備したものである。
【０００３】
【発明が解決しようとする課題】
しかしながら、このような従来のホルダ１では、透明シート３の上側縁Ｅ３と外側縁Ｅ２との交点Ｃ１が、芯体平板２の上側縁と外側縁との交点と一致するように形成されしかも両交点が互いに固着されていたので、透明シート３の折り返しが上側縁Ｅ３および外側縁Ｅ２の交点Ｃ１と下側縁Ｅ１および内側縁Ｅ４の交点Ｃ２とによって制限され、透明シート３を大きく開口することができなかった。
【０００４】
それゆえに、本願発明の主たる目的は、ポケットを大きく開口させることができ、収納物の出し入れが容易であるとともに、収納物をしっかりと保持することができる、ホルダを提供することである。
【０００５】
【課題を解決するための手段】
本願発明にかかるホルダは、重ね合わされたシートの直交する２つの縁が閉鎖され、残りの縁が開放されてなるポケットを具備するホルダであって、シートの開放された縁側をめくった際にポケットを大きく開口させるため、開放された縁の端部と閉鎖された縁の端部とを結ぶ縁が形成された、ホルダである。
このホルダは、開放された縁の端部と閉鎖された縁の端部とを結ぶ縁を有するので、収納時には収納物をしっかりと保持することができる一方で、出し入れ時にはポケットを大きく開口させることができ、収納物の出し入れがし易い。また、開放された縁の端部と閉鎖された縁の端部とを結ぶ縁の部分を通じて収納物の出し入れができる点においても収納物の出し入れがし易い。
【０００６】
また、本願発明にかかるホルダにおいて、ポケットは、仕切りシートと、仕切りシートの表面を覆う外装シートとを含み、外装シートは、少なくとも下側縁が仕切りシートに固着されて閉鎖され、下側縁と直交する外側縁が仕切りシートの外側縁を覆いつつ折り返されて閉鎖され、下側縁に対向する上側縁と外側縁に対向する内側縁とが開放され、外装シートの上側縁および内側縁側をめくった際に大きく開口させるための縁は、外装シートの上側縁の外側端部と外側縁の上端とを結んで形成され、下側縁から上側縁の外側端部までの長さは、外側縁の下端から上端までの長さよりも長く形成されることが好ましい。
この場合には、ポケットを大きく開口させるための縁の一端が外装シートの上側縁の外側端部と一致し、他端が外装シートの外側縁の上端と一致する。外装シートの開放された上側縁および内側縁側をめくると、外装シートの外側縁の上端と内側縁の下端とを結ぶ線で折り返されるような状態となる。このとき、このホルダでは、外装シートの外側縁の下端から上端までの長さが、外装シートの下側縁から上側縁の外側端部までの長さよりも短く形成されているので、外装シートの折り返される面積が大きくなり、大きな開口が得られて、収納物の出し入れがし易くなる。また、外装シートの上側縁の外側端部と外側縁の上端とを結ぶ縁の部分を通じて収納物の出し入れができる点においても収納物の出し入れがし易い。その一方で、外装シートの下側縁から上側縁の外側端部までの長さが外装シートの外側縁の下端から上端までの長さよりも長く形成されているので、収納物の収納時には収納物をしっかりと保持することができる。
【０００７】
さらに、本願発明にかかるホルダにおいて、外装シートの上側縁および内側縁側をめくった際に大きく開口させるための縁から外側に露出する仕切りシートの下側縁から上側縁までの長さを外装シートの下側縁から上側縁の外側端部までの長さと略同じに形成し、仕切りシートの残りの部分の下側縁から上側縁まで長さを外装シートの下側縁から上側縁の外側端部までの長さよりも短く形成し、該部分において外装シートを仕切りシートの上側縁から上方へ突出させることが好ましい。
この場合には、ポケットを大きく開口させるための縁から外側に露出した仕切りシートの下側縁から上側縁までの長さが外装シートの下側縁から上側縁の外側端部までの長さと略同じに形成されるので、見た目に美しい。また、該部分にインデックスを設ければ、ポケットに何を収納しているかを一目で理解することができ便利である。その一方、ポケットを大きく開口させるための縁から外側に露出しない仕切りシートの下側縁から上側縁までの長さは、外装シートの下側縁から上側縁の外側端部までの長さよりも短く形成され、該部分において外装シートが仕切りシートの上側縁から上方へ突出して形成されるので、該部分において外装シートが仕切りシートに密着せず、外装シートをめくりやすくなる。
【０００８】
また、本願発明にかかるホルダは、さらに、表紙シートと、表紙シートの内面に形成されるポケットとを含み、仕切りシートは、表紙シートの背部内側に固着されることが好ましい。
この場合には、仕切りシートが表紙シートの背部内側に固着されるので、冊子状のホルダを得ることができる。しかも、表紙シートの内側にもポケットが形成されるので、仕切りシートおよび外装シートで構成されるポケットと表紙シート内側のポケットとに大きなサイズの用紙等の収納物を同時に収納することも可能となる。
【０００９】
本願発明の上述の目的，その他の目的，特徴および利点は、図面を参照して行う以下の発明の実施の形態の詳細な説明から一層明らかとなろう。
【００１０】
【発明の実施の形態】
【実施例】
図１は本願発明にかかるホルダの一例を示す斜視図である。
このホルダ１０は、見開き状態でＡ３サイズに対応してそれよりも少し大きな面積を有し、中央の背部１２ａで２つ折りにされて表表紙１２ｂと裏表紙１２ｃとを構成する表紙シート１２を含む。表紙シート１２の内面には、ポケット１６が形成される。このポケット１６は、表紙シート１２の端部を折り返し、重なり合った下側縁部１４を互いに固着してなるものであり、表紙シート１２と一体のものである。したがって、このポケット１６は、図４（Ａ）に示すような断面形状となる。また、このポケット１６は、表表紙および裏表紙の内面のそれぞれ半分程の大きさに形成される。このポケット１６は、図２に示すような状態で開閉することができる。
【００１１】
表紙シート１２の背部１２ａ内側には、たとえば２枚の仕切りシート１８の内側縁が固着される。仕切りシート１８の表面は、外装シート２０で覆われる。外装シート２０の下側縁２０ａは、仕切りシート１８の下側縁に固着され、下側縁２０ａと直交する外側縁２０ｂは、仕切りシート１８の外側縁を覆いつつ折り返される。外装シート２０は、仕切りシート１８の表裏に対称に設けられる。したがって、外装シート２０ａの下側縁２０ａおよび外側縁２０ｂと仕切りシート１８の下側縁および外側縁との間は閉鎖され、外装シート２０の下側縁２０ａに相対する上側縁２０ｃと外側縁２０ｂに相対する内側縁２０ｄとは開放されて、ポケット２２が構成される。このポケット２２は、図４（Ｂ）に示すように、仕切りシート１８の表裏にそれぞれ形成される。なお、この明細書において、ホルダ１０を図１に示すように見開き状態に置いたときの背部１２ａ側を内側といい、小口側を外側といい、天側を上側といい、地側を下側という。
【００１２】
このホルダ１０は、仕切りシート１８の上外コーナー部に外装シート２０の上側縁２０ｃおよび内側縁２０ｄ側をめくった際にポケット２２を大きく開口させるための斜行縁２４を有する。この実施例の斜行縁２４は、外装シート２０の上側縁２０ｃの外側端部Ｐ１から外側縁２０ｂの上端Ｐ２へ斜めに延びる直線状に形成される。斜行縁２４の一端は外装シート２０の上側縁の外側端部Ｐ１と一致し、他端は外装シート２０の外側縁２０ｂの上端Ｐ２と一致する。そして、外装シート２０の下側縁２０ａから上側縁２０ｃの外側端部Ｐ１までの長さＬ１は、外側縁２０ｂの下端Ｐ３から上端Ｐ２までの長さＬ２よりも長く形成される。そのため、収納物の保持を確実にできる。また、外装シート２０の内側縁２０ｄの下端Ｐ４近傍には、外装シート２０を折り返しやすくするための、略三角形状の切り欠き２８が形成される。このホルダ１０では、外装シート２０の開放された上側縁２０ｃおよび内側縁２０ｄ側をめくると、斜行縁２４の他端に対応する外装シート２０の外側縁２０ｂの上端Ｐ２と、内側縁２０ｄの下端Ｐ４近傍の切り欠き２８とを結ぶ線で折り返されるので、図７に示した従来のホルダよりも外装シート２０の折り返される面積が大きくなり、図２，図３および図６に示すように、大きな開口が得られる。そのため、ポケット２２への収納物の出し入れが容易になる。なお、この明細書において、長さはそれぞれ最短距離をいう。
【００１３】
さらに、このホルダ１０は、斜行縁２４から外側に露出する仕切りシート１８の下側縁から上側縁までの長さＬ３が、外装シート２０の下側縁２０ａから上側縁２０ｃの外側端部Ｐ１までの長さＬ１とほぼ同じ長さに形成され、仕切りシート１８の残りの部分の下側縁から上側縁３０までの長さＬ４が、外装シート２０の下側縁２０ａから上側縁２０ｃの外側端部Ｐ１までの長さＬ１よりも短く形成されるので、外装シート２０の上端縁２０ｃが、長さＬ４の部分において、仕切りシート１８の上側縁３０から上方へ突出する。そのため、図５に示すように、突出した部分において、外装シート２０間に仕切りシート１８は挟持されずに空隙ができ、外装シート２０と仕切りシート１８とが密着せず、外装シート２０を上端縁２０ｃからめくりやすくなる。また、上述の長さ関係の結果、仕切りシート１８の上側縁３０の外側端部には、矩形状の突出部２６が形成される。
【００１４】
このホルダ１０の製造工程においては、たとえば色付きの透明ないし半透明のポリプロピレンなどの合成樹脂シートを所定形状に打ち抜いて、表紙シート１２、仕切りシート１８、および外装シート２０がそれぞれ準備される。表紙シート１２の一部は折り返され、下端部が超音波溶着または熱溶着されてポケット１６が形成される。また、仕切りシート１８と外装シート２０とは超音波溶着または熱溶着により固着されてポケット２２が形成される。さらに、表紙シート１２の背部内側１２ａと仕切りシート１８の内側縁部とが超音波溶着または熱溶着により固着される。なお、表紙シート１２と別部材の内装シートを準備し、該内装シートを表紙シート１２の内面に超音波溶着または熱溶着により固着してポケット１６を形成してもよい。
【００１５】
このホルダ１０は、開放された上側縁２０ｃと閉鎖された外側縁２０ｂとの間に斜行縁２４を有するので、収納時にはカタログ、書類等の収納物をしっかりと保持することができる一方で、出し入れ時にはポケットを従来のものよりも大きく開口させることができ、収納物の出し入れが容易である。また、斜行縁２４の部分を通じて収納物の出し入れができる点においても収納物の出し入れが容易となるものである。
【００１６】
また、このホルダ１０は、仕切りシート１８が表紙シート１２の背部１２ａ内側に固着された冊子状のものである。このホルダ１０は仕切りシート１８を２つ有するので、図６に示すように、仕切りシート１８と外装シート２０とで構成されるポケット２２、２２を２つ見開き状態で対向して配置することができ、２つのポケット２２，２２に見開かれた表紙シート１２の大きさに対応するＡ３サイズの大きさの用紙等を収納することができる。さらに、このホルダ１０は、表紙シート１２の内側にもポケット１６を有するので、ポケット２２とポケット１６とに一つの大きな収納物を収納することも可能である。なお、ポケット１６とポケット２２とは、それぞれ独立に別々の物を収納することができることはもちろんのことである。また、表紙シート１２に固着される仕切りシート１８の枚数は、適宜増減される。さらに、表紙シート１２の大きさはＡ３サイズに限らず、所望の大きさとすることができる。
【００１７】
さらに、斜行縁２４から外側に露出した仕切りシート１８の下側縁から上側縁までの長さＬ３が外装シート２０の下側縁２０ａから上側縁２０ｃの外側端部Ｐ１までの長さＬ１と略同じに形成されるので見た目に美しい。また、斜行縁２４から外側に露出した仕切りシート１８の突出部２６にインデックスを設ければ、ポケット２２に何を収納しているかを一目で理解することができ便利である。一方、斜行縁２４から外側に露出しない仕切りシート１８の下側縁から上側縁までの長さＬ４は、外装シート２０の下側縁２０ａから上側縁２０ｃの外側端部Ｐ１までの長さＬ１よりも短く形成されるので、該部分において外装シート２０が仕切りシート１８に密着せず、使用者が外装シート２０をめくりやすい。
【００１８】
なお、本願発明にかかるホルダは、上述の実施例のものに限らず、たとえば、表紙１２を設けずに、仕切りシート１８と外装シート２０とからなるポケット２２を単独で用いるようにしてもよい。その場合、仕切りシート１８と外装シート２０とからなるポケット２２の仕切りシート１８に綴じ穴を設けて、ポケット２２をルーズリーフとして用いてもよい。また、斜行縁は直線状に限らず、曲線状でもよい。
【００１９】
【発明の効果】
本願発明にかかるホルダは、ポケットを大きく開口させることができ、収納物の出し入れが容易であるとともに、収納時には収納物をしっかりと保持することができる。
【図面の簡単な説明】
【図１】本願発明にかかるホルダの一例を示す斜視図である。
【図２】図１に示すホルダの表紙の内側のポケットの開口状態を示す斜視図である。
【図３】図１に示すホルダの仕切りシートと外装シートとにより構成されるポケットの開口状態を示す斜視図である。
【図４】（Ａ）は図１の線ＩＶＡ−ＩＶＡにおける断面図解図であり、（Ｂ）は図３の線ＩＶＢ−ＩＶＢにおける断面図解図である。
【図５】斜行縁より内側の仕切りシートの上端縁と外装シートの上端縁との関係を示す断面図解図である。
【図６】図１に示すホルダの使用状況を示す斜視図である。
【図７】従来のホルダの一例を示す斜視図である。
【符号の説明】
１０  ホルダ
１２  表紙シート
１２ａ  背部
１２ｂ  表表紙
１２ｃ  裏表紙
１４  表紙シートの下側縁部
１６  ポケット
１８  仕切りシート
２０  外装シート
２０ａ  外装シートの下側縁
２０ｂ  外装シートの外側縁
２０ｃ  外装シートの上側縁
２０ｄ  外装シートの内側縁
２２  ポケット
２４  斜行縁
２６  仕切りシートの外側縁部の突出部
２８  切り欠き
３０  仕切りシートの上側縁
Ｐ１  上側縁の外側端部
Ｐ２  外側縁の上端
Ｐ３  外側縁の下端
Ｐ４  内側縁の下端
Ｌ１  下側縁２０ａから上側縁２０ｃの外側端部Ｐ１までの長さ
Ｌ２  外側縁２０ｂの下端Ｐ３から上端Ｐ２までの長さ
Ｌ３  斜行縁２４から外側に露出する仕切りシート１８の下側縁から上側縁までの長さ
Ｌ４  斜行縁２４より内側の仕切りシート１８の下側縁から上側縁までの長さ
【図１】
0004251733.tif 000002
【図２】
0004251733.tif 000003
【図３】
0004251733.tif 000004
【図４】
0004251733.tif 000005
【図５】
0004251733.tif 000006
【図６】
0004251733.tif 000007
【図７】
0004251733.tif 000008